(57)【要約】【課題】翼が閉じてしまうことを防止することができる医療用針を提供すること。【解決手段】医療用針１は、屈曲部を有する針管２と、前記針管２の屈曲部の基端側に設けられたハブ３と、前記ハブ３の両側に延在し、開閉自在な一対の翼４２と、前記一対の翼４２が開いた状態を維持するために、各翼４２を前記ハブ３に係止する係止部５とを備えている。【選択図】図１
2013244268.tif 000002
【特許請求の範囲】
【請求項１】
屈曲部を有する針管と、
前記針管の屈曲部の基端側に設けられたハブと、
前記ハブの両側に延在し、開閉自在な一対の翼と、
前記一対の翼が開いた状態を維持するために、各翼を前記ハブに係止する係止部とを備えていることを特徴とする医療用針。
【請求項２】
請求項１に記載の医療用針において、
前記係止部は、
各翼に設けられた貫通孔と、
前記ハブから突出して設けられ、各翼の貫通孔と係合する係合突起とを備えていることを特徴とする医療用針。
【請求項３】
請求項２に記載の医療用針において、
前記一対の翼を有する翼状部材を備え、
前記翼状部材は、前記ハブに固定されていることを特徴とする医療用針。
【請求項４】
請求項３に記載の医療用針において、
前記ハブは、前記翼状部材を支持する支持部を備えていることを特徴とする医療用針。
【請求項５】
請求項２から請求項４のいずれかに記載の医療用針において、
前記ハブは、当該医療用針の使用時に患者の皮膚に当接する台座部を備え、
前記係合突起は、前記台座部から突出していることを特徴とする医療用針。
【請求項６】
請求項２に記載の医療用針において、
前記一対の翼を有する翼状部材を備え、
前記ハブは、
当該医療用針の使用時に患者の皮膚に当接する台座部と、
前記台座部に設けられ、前記翼状部材を支持する支持部とを備え、
前記係合突起は、前記支持部を挟んで両側に設けられ、突出方向から見た平面視で前記支持部とは反対側に向かって次第に狭幅した形状であることを特徴とする医療用針。
【請求項７】
請求項１から請求項６のいずれかに記載の医療用針において、
各翼の基端部には、当該翼の延在方向に直交する幅方向に沿って溝が設けられていることを特徴とする医療用針。
【請求項８】
請求項１から請求項７のいずれかに記載の医療用針において、
各翼の基端部には、当該翼の延在方向に直交する幅方向の端部が切り欠かれた切欠部が設けられていることを特徴とする医療用針。
【請求項９】
請求項１から請求項８のいずれかに記載の医療用針において、
各翼の基端部は、当該翼の先端部よりも厚さが薄く形成されていることを特徴とする医療用針。
【請求項１０】
請求項１から請求項９のいずれかに記載の医療用針において、
前記一対のうちの一方の翼には、当該一方の翼の面外方向に突出する凸部が設けられ、
前記一対のうちの他方の翼には、前記一対の翼が閉じたときに前記凸部が係合する係合凹部が設けられていることを特徴とする医療用針。
【請求項１１】
請求項１から請求項１０のいずれかに記載の医療用針において、
前記翼は、前記ハブを構成する材料よりも剛性が低い材料で構成されていることを特徴とする医療用針。
【発明の詳細な説明】
【技術分野】
【０００１】
本発明は、医療用針に関する。
【背景技術】
【０００２】
従来、患者の体内に留置されたカテーテルを介して、高カロリー輸液等の薬液を体内に投与することが行われている。このカテーテルには、セプタムと呼ばれるゴム製の閉塞部材で塞がれた皮下埋込式のポートが接続されており、薬液投与時は、ポートのセプタム部分に医療用針を穿刺する。このような医療用針として、使用時に把持したり皮膚に固定したりするための翼が設けられたものが知られている（例えば、特許文献１参照）。
【０００３】
特許文献１に記載の医療用針は、直角に屈曲した針管と、針管の基部を挟んだ両側に設けられた一対の翼とを備え、翼を閉じた状態で当該翼をバンドで束ねられるように構成されている。このような構成によれば、翼を有する医療用針を平坦な形状とすることができるので、医療用針の包装を容易に行うことができるとともに、コンパクトな包装とすることができる。
【先行技術文献】
【特許文献】
【０００４】
【特許文献１】実開平４−９５０４５号公報
【発明の概要】
【発明が解決しようとする課題】
【０００５】
ところで、医療用針を使用する際は、閉じた翼を把持しながら医療用針を穿刺した後、翼を開いて当該翼をテープ等で皮膚に固定する。
しかしながら、医療用針に対しては、翼を閉じた状態でＥＯＧ（Ethylene Oxide Gas）滅菌等の滅菌や包装が行われるため、翼にいわゆる折り癖が付いてしまっていることが多い。このため、医療用針を穿刺後、テープ等により固定する際に、翼が開いた状態から次第に閉じてしまうため、固定しにくいという問題がある。また、医療用針の使用中にも、当現象により、テープ等による固定状態が解除されてしまうという問題がある。
【０００６】
本発明の目的は、翼が閉じてしまうことを防止することができる医療用針を提供することにある。
【課題を解決するための手段】
【０００７】
本発明の医療用針は、屈曲部を有する針管と、前記針管の屈曲部の基端側に設けられたハブと、前記ハブの両側に延在し、開閉自在な一対の翼と、前記一対の翼が開いた状態を維持するために、各翼を前記ハブに係止する係止部とを備えていることを特徴とする。
【０００８】
本発明によれば、各翼をハブに係止する係止部が設けられているため、ハブに対して回動可能な一対の翼がハブを中心として開いた状態で、各翼をハブに係止することができる。このため、医療用針の翼が開いた状態を維持することができで、翼が閉じてしまうことを防止することができる。
【０００９】
本発明の医療用針において、前記係止部は、各翼に設けられた貫通孔と、前記ハブから突出して設けられ、各翼の貫通孔と係合する係合突起とを備えていることが好ましい。
【００１０】
本発明によれば、各翼に設けられた貫通孔と、ハブから突出して設けられた係合突起とで係止部が構成される。このため、貫通孔に係合突起を係合させるだけで、ハブに翼を係止することができるので、翼が閉じてしまうことを容易に防ぐことができる。
【００１１】
本発明の医療用針は、前記一対の翼を有する翼状部材を備え、前記翼状部材は、前記ハブに固定されていることが好ましい。
【００１２】
本発明によれば、一対の翼を有する翼状部材がハブに固定されているため、ハブに翼状部材を固定するだけで、当該ハブに各翼を固定することができる。このため、医療用針の製造工程を簡素化することができる。
【００１３】
本発明の医療用針において、前記ハブは、前記翼状部材を支持する支持部を備えていることが好ましい。
【００１４】
本発明によれば、ハブが支持部を備えているため、翼状部材を支持部に位置決めした状態で当該支持部に翼状部材を支持させることができ、ハブに対する各翼の位置決めを行うことができる。このため、ハブに翼をより確実に係止することができる。
【００１５】
本発明の医療用針において、前記ハブは、当該医療用針の使用時に患者の皮膚に当接する台座部を備え、前記係合突起は、前記台座部から突出していることが好ましい。
【００１６】
本発明によれば、患者の皮膚に当接する台座部に係合突起が設けられているため、皮膚に近い位置で翼を係止することができる。このため、翼を開いたときに当該翼を皮膚に密着させ易くすることができるので、テープ等により皮膚に翼を確実に固定することができる。
【００１７】
本発明の医療用針は、前記一対の翼を有する翼状部材を備え、前記ハブは、当該医療用針の使用時に患者の皮膚に当接する台座部と、前記台座部に設けられ、前記翼状部材を支持する支持部とを備え、前記係合突起は、前記支持部を挟んで両側に設けられ、突出方向から見た平面視で前記支持部とは反対側に向かって次第に狭幅した形状であることが好ましい。
【００１８】
本発明によれば、係合突起が、翼状部材を支持する支持部とは反対側に向かって次第に狭幅した形状とされているため、翼を閉じる際に、当該翼の貫通孔を係合突起の狭幅形状に沿って支持部の反対側に案内することができる。このため、貫通孔に係合突起を容易に係合させることができる。
【００１９】
本発明の医療用針において、各翼の基端部には、当該翼の延在方向に直交する幅方向に沿って溝が設けられていることが好ましい。
【００２０】
本発明によれば、各翼の基端部に当該翼の幅方向に沿って溝が設けられているため、翼の先端部に比べて基端部の曲げ剛性を低くすることができる。このため、翼を開いたときに当該翼に作用する復元力を小さくすることができるので、翼が閉じてしまうことを確実に防止することができる。
【００２１】
本発明の医療用針において、各翼の基端部には、当該翼の延在方向に直交する幅方向の端部が切り欠かれた切欠部が設けられていることが好ましい。
【００２２】
本発明によれば、各翼の基端部に切欠部が設けられているため、翼の先端部に比べて基端部の曲げ剛性を低くすることができる。このため、翼の復元力をさらに小さくすることができるので、翼が閉じてしまうことをより確実に防止することができる。
【００２３】
本発明の医療用針において、各翼の基端部は、当該翼の先端部よりも厚さが薄く形成されていることが好ましい。
【００２４】
本発明によれば、各翼の基端部が先端部よりも薄く形成されているため、翼の先端部に比べて基端部の曲げ剛性を一層低くすることができ、翼が閉じてしまうことをさらに確実に防止することができる。
【００２５】
本発明の医療用針において、前記一対のうちの一方の翼には、当該一方の翼の面外方向に突出する凸部が設けられ、前記一対のうちの他方の翼には、前記一対の翼が閉じたときに前記突起が係合する係合凹部が設けられていることが好ましい。
【００２６】
本発明によれば、一方の翼に突起が設けられ、他方の翼に係合穴が設けられているため、翼を閉じたときに係合穴に突起を係合させることができる。このため、翼同士を係止することができるので、医療用針の翼が閉じた状態を確実に維持することができる。
【００２７】
本発明の医療用針において、前記翼は、前記ハブを構成する材料よりも剛性が低い材料で構成されていることが好ましい。
【００２８】
本発明によれば、翼がハブよりも剛性が低い材料で構成されているため、ハブの剛性を確保しながら、翼の剛性を低くすることができる。このため、翼が閉じてしまうことを防止しつつ、ハブで針管を確実に支持することができる。
【図面の簡単な説明】
【００２９】
【図１】本発明の第１実施形態に係る医療用針の正面図。
【図２】第１実施形態に係る医療用針の平面図。
【図３】第１実施形態に係る医療用針のハブの平面図。
【図４】第１実施形態に係る医療用針のハブの側面図。
【図５】第１実施形態に係る医療用針のハブを図１の反対方向からみた正面図。
【図６】第１実施形態に係る医療用針の翼状部材の平面図。
【図７】第１実施形態に係る医療用針の翼状部材の正面図。
【図８】本発明の第２実施形態に係る医療用針の翼状部材の平面図。
【図９】第２実施形態に係る医療用針の翼状部材の正面図。
【図１０】本発明の変形例に係る医療用針の正面図。
【図１１】本発明の変形例に係る医療用針の平面図。
【発明を実施するための形態】
【００３０】
以下、本発明の各実施形態を図面に基づいて説明する。
なお、第２実施形態以降において、次の第１実施形態で説明する構成部材と同じ構成部材および同様な機能を有する構成部材には、第１実施形態の構成部材と同じ符号を付し、それらの説明を省略または簡略化する。
【００３１】
〔第１実施形態〕
図１および図２に示すように、本実施形態に係る医療用針１は、屈曲部２１を有する針管２と、針管２の屈曲部２１の基端側に設けられたハブ３と、ハブ３の両側に延在し、開閉自在な一対の翼４２を有した翼状部材４と、一対の翼４２がハブ３を中心として開いた状態を維持するために、各翼４２をハブ３に係止する係止部５とを備えている。
なお、一対の翼４２が閉じた状態とは、各翼４２の面同士が当接した状態をいい、開いた状態とは、各翼４２が広がり、各翼４２の面が略水平となった状態をいう。
【００３２】
針管２は、内部に流体流路を有する管状の針で構成され、側面視略Ｌ字状に屈曲している。この針管２は、屈曲部２１と、屈曲部２１よりも基端側の基端部２２と、屈曲部２１よりも先端側の先端部２３とを備えている。
【００３３】
ハブ３は、所定の耐熱性を有する樹脂等の材料で構成され、本実施形態ではポリカーボネートで構成されている。このハブ３は、図３から図５に示すように、針管２の先端部２３に対して略垂直に配置された平板状の台座部３１と、台座部３１の一方の面（針管２の先端部２３の延在方向と反対側の面）３１１に設けられ、翼状部材４を着脱自在に支持する支持部３２と、台座部３１における支持部３２を挟んだ両側に設けられ、翼状部材４を案内する案内部３３と、台座部３１における支持部３２および案内部３３を挟んだ両側に面３１１から突出して設けられ、翼４２が開いたときに当該翼４２が係合する係合突起３４と、支持部３２から針管２の基端部２２の軸線方向に延設され、薬液導入用のチューブが接続される円筒状のチューブ接続部３５とを備えている。
【００３４】
支持部３２は、台座部３１の一方の面３１１から面外方向に突出し、突出方向の先端部３２１が、突出方向の基端部３２２に対して台座部３１の幅方向（針管２の基端部２２の延設方向に対して垂直な方向）に張り出した断面略Ｔ字状に形成されている。そして、支持部３２は、台座部３１の幅方向の中央において、当該台座部３１の長さ方向（針管２の基端部２２の延設方向）に延設されている。この支持部３２には、針管２の屈曲部２１および基端部２２の一部が埋設されている。
【００３５】
案内部３３は、ハブ３の支持部３２に翼状部材４を装着する際に当該翼状部材４を案内して翼状部材４を所定の位置に位置決めするとともに、翼状部材４が支持部３２から外れてしまうことを防止する。この案内部３３は、台座部３１の一方の面３１１から面外方向（支持部３２の突出方向と同じ方向）に突出し、かつ台座部３１の長さ方向に延設された支持部３２と平行に延設されている。
【００３６】
係合突起３４は、台座部３１の一方の面３１１から面外方向（支持部３２および案内部３３の突出方向と同じ方向）に突出して設けられ、突出方向から見た平面視で、支持部３２とは反対側に向かって次第に狭幅した形状とされている。具体的に、係合突起３４は、平面視で支持部３２側の側面３４１を底辺とする二等辺三角形状に形成されており、支持部３２側の側面３４１が支持部３２に平行とされ、他の２つの側面３４２が支持部３２とは反対側に傾斜した形状とされている。この係合突起３４は、翼４２を開いたときに、後述する貫通孔４２５の軌跡上の位置に設けられている。
【００３７】
翼状部材４は、弾性を有するとともに、ハブ３を構成する材料よりも剛性が低い材料で構成され、本実施形態ではポリウレタンエラストマーで構成されている。この翼状部材４は、図６および図７に示すように、ハブ３の支持部３２に装着される装着部４１と、装着部４１の両側に延在する一対の翼４２とを備え、ハブ３に着脱自在に固定される。
【００３８】
装着部４１は、２つの側面部４１１、４１１および上面部４１２を備え、断面逆Ｕ字状に形成されている。この装着部４１の内面は、ハブ３の支持部３２の外面に合わせた形状とされている。すなわち、側面部４１１と上面部４１２との境界部分である入隅部４１３は、ハブ３の支持部３２の先端部３２１の形状に対応するよう切り欠かれて形成されている。
【００３９】
各翼４２は、装着部４１の側面部４１１に対して略垂直に延在し、平面視略Ｌ字状に形成されている。すなわち、各翼４２は、装着部４１の両側に延在している。この翼４２は、先端部４２１と、先端部４２１よりも厚さが薄く形成された基端部４２２とを備えている。基端部４２２には、当該基端部４２２の両面に形成され、翼４２の延在方向に直交する幅方向に延びる溝４２３と、翼４２の幅方向の端部が切り欠かれた切欠部４２４とが設けられている。このような構成により、翼の先端部４２１に比べて基端部４２２の曲げ剛性を低くすることができる。
【００４０】
また、各翼４２には、当該翼４２を面外方向（厚さ方向）に貫通する貫通孔４２５が設けられている。貫通孔４２５は、ハブ３の係合突起３４の形状に対応して形成されている。この貫通孔４２５とハブ３の係合突起３４とにより、係止部５（図１および図２）が構成される。さらに、一方の翼４２には、当該一方の翼４２の面外方向に突出する凸部４２６が設けられ、他方の翼４２には、これら翼４２が閉じたときに凸部４２６が係合する係合凹部４２７が設けられている。
【００４１】
なお、本実施形態の一対の翼４２は、図７に示すように、それぞれの基端部４２２が上面部４１２側にわずかに傾斜して延在している。このため、各翼４２がハブ３に係止されていないときは、一対の翼４２が水平とはならずに、針管２の先端部２３とは反対の方向に向かって拡開した状態（図１に実線で示す位置と一点鎖線で示す位置との間に位置する状態）となる。
【００４２】
以上の医療用針１は、図１に一点鎖線で示すように、一対の翼４２が閉じた状態で包装されている。翼４２を閉じることにより、医療用針１をより平坦な形状とすることができるので、医療用針１の包装を容易に行うことができるとともに、コンパクトな包装とすることができる。この際、一方の翼４２の凸部４２６が、他方の翼４２の係合凹部４２７に係合しているため、翼４２が閉じられた状態を確実に維持することができる。
【００４３】
一方、薬液を投与する場合、使用者は、包装から医療用針１を取り出し、閉じた状態の翼４２を把持しながら医療用針１を穿刺し、患者の皮膚にハブ３の台座部３１を当接させる。そして、使用者は、図１に実線で示すように、一対の翼４２を開き、翼４２の貫通孔４２５にハブ３の係合突起３４を係合させた後、当該翼４２をテープ等で皮膚に固定して留置状態とし、薬液の投与を行う。薬液の投与完了後、テープを除去し、翼４２を再び閉じた状態として、当該翼４２を把持しながら医療用針１を抜去する。
【００４４】
ここで、本実施形態の各翼４２は、閉じた状態でＥＯＧ（Ethylene Oxide Gas）滅菌等の滅菌や包装が行われるため、折り癖が存在する。このため、翼４２が開かれた状態では、翼４２に当該翼４２を閉じる方向の復元力が作用することになる。しかし、ハブ３の係合突起３４が翼４２の貫通孔４２５に係合しているため、係合突起３４と貫通孔４２５との間に摩擦力が発生し、この摩擦力が、翼４２に作用する復元力に抗して、翼４２が閉じようとする動作を規制する。すなわち、係合突起３４および貫通孔４２５は、互いが係合することで翼４２を開いた状態に維持する。このため、時間の経過に伴って翼４２が次第に閉じてしまうことを防ぐことができ、テープ等による固定状態が解除されることを防止することができる。また、テープ等により固定する際に、翼４２が開いた状態から次第に閉じてしまうことを防止できるので、翼４２が固定しにくいという問題を回避することができる。
【００４５】
以上の本実施形態によれば、次のような効果がある。
すなわち、医療用針１には、各翼４２をハブ３に係止する係止部５が設けられているため、ハブ３に対して回動可能な一対の翼４２がハブ３を中心として開いた状態で、各翼４２をハブ３に係止することができる。このため、医療用針１の翼４２が開いた状態を維持することができ、翼４２が閉じてしまうことを防止することができる。
【００４６】
また、各翼４２に設けられた貫通孔４２５と、ハブ３から突出して設けられた係合突起３４とで係止部５が構成される。このため、貫通孔４２５に係合突起３４を係合させるだけで、ハブ３に翼４２を係止することができるので、翼４２が閉じてしまうことを容易に防止することができる。
【００４７】
また、一対の翼４２を有する翼状部材４がハブ３に固定されているため、ハブ３に翼状部材４を固定するだけで、当該ハブ３に各翼４２を固定することができる。このため、医療用針１の製造工程を簡素化することができる。
【００４８】
また、ハブ３が支持部３２を備えているため、翼状部材４を支持部３２に位置決めした状態で当該支持部３２に翼状部材４を支持させることができ、ハブ３に対する各翼４２の位置決めを行うことができる。このため、ハブ３に翼４２をより確実に係止することができる。
【００４９】
また、患者の皮膚に当接する台座部３１に係合突起３４が設けられているため、皮膚に近い位置で翼４２を係止することができる。このため、翼４２を開いたときに当該翼４２を皮膚に密着させ易くすることができるので、テープ等により皮膚に翼４２を確実に固定することができる。
【００５０】
また、係合突起３４が、翼状部材４を支持する支持部３２とは反対側に向かって次第に狭幅した形状とされているため、翼４２を閉じる際に、当該翼４２の貫通孔４２５を係合突起３４の狭幅形状に沿って支持部の反対側に案内することができる。このため、貫通孔４２５に係合突起３４を容易に係合させることができる。
【００５１】
また、各翼４２の基端部４２２に当該翼４２の幅方向に沿って溝４２３が設けられているため、翼４２の先端部４２１に比べて基端部４２２の曲げ剛性を低くすることができる。このため、翼４２を開いたときに当該翼４２に作用する復元力を小さくすることができるので、翼４２が閉じてしまうことを確実に防止することができる。
【００５２】
また、各翼４２の基端部４２２に切欠部４２４が設けられているため、翼４２の先端部４２１に比べて基端部４２２の曲げ剛性を低くすることができる。このため、翼４２の復元力をさらに小さくすることができるので、翼が閉じてしまうことをより確実に防止することができる。
【００５３】
また、各翼４２の基端部４２２が先端部４２１よりも薄く形成されているため、翼４２の先端部４２１に比べて基端部４２２の曲げ剛性を一層低くすることができ、翼４２が閉じてしまうことをさらに確実に防止することができる。
【００５４】
また、一方の翼４２に凸部４２６が設けられ、他方の翼４２に係合凹部４２７が設けられているため、翼４２を閉じたときに係合凹部４２７に凸部４２６を係合させることができる。このため、翼４２同士を係止することができるので、医療用針１の翼４２が閉じた状態を確実に維持することができる。
【００５５】
また、翼４２がハブ３よりも剛性が低い材料で構成されているため、ハブ３の剛性を確保しながら、翼４２の剛性を低くすることができる。このため、翼４２が閉じてしまうことを防止しつつ、ハブ３で針管２を確実に支持することができる。
【００５６】
〔第２実施形態〕
次に、本発明の第２実施形態を図８および図９に基づいて説明する。
本実施形態の医療用針１は、図８および図９に示すように、翼４２における溝４２３の位置、翼４２に切欠部４２４が設けられていない点、および翼４２の貫通孔４２５Ａの形状が、それぞれ第１実施形態と相違する。
【００５７】
具体的に、溝４２３は、翼４２におけるハブ３の台座部３１に対向する面４２８に形成され、この面４２８の反対側の面４２９には形成されていない。すなわち、溝４２３は、翼４２を閉じたときの外側の面４２８にのみ形成されている。
【００５８】
一方、貫通孔４２５Ａは、平面視で装着部４１とは反対側の周縁が波形に形成されている。これにより、係合突起３４が貫通孔４２５Ａに係合する際に、当該貫通孔４２５Ａを変形しやすくすることができるので、各翼４２をハブ３に容易に係止することができる。
以上の本実施形態によっても、第１実施形態と同様の効果がある。
【００５９】
なお、本発明は前述の実施形態に限定されるものではなく、本発明の目的を達成できる範囲での変形、改良等は本発明に含まれるものである。
例えば、前記実施形態では、ハブ３の支持部３２に翼状部材４をはめ込むことにより、翼４２をハブ３に対して固定していたが、ハブ３と翼４２とを一体で成型してもよい。すなわち、翼４２がハブ３の支持部３２から直接延在するように構成してもよい。
【００６０】
前記実施形態では、翼４２に設けた貫通孔４２５、４２５Ａと、ハブ３に設けた係合突起３４とで係止部５を構成したが、係止部５をハブおよび各翼の一方にのみ設けた構成としてもよい。例えば、図１０および図１１に示すように、ハブ３の台座部３１の一方の面３１１の４隅から面外方向に突出する係止部５Ａを設け、これら係止部５Ａ間に翼４２を嵌め込むことで、各翼４２をハブ３に係止するようにしてもよい。反対に、このような係止部５Ａを翼４２に設け、これら係止部５Ａ間にハブ３が嵌まり込むようにしてもよい。
また、前記実施形態では、翼４２に貫通孔４２５、４２５Ａを設け、ハブ３に係合突起３４を設けたが、翼４２に当該翼４２から突出する係合突起を設け、ハブ３に貫通孔を設けてもよい。
【００６１】
前記実施形態では、係合突起３４が二等辺三角形状に形成されていたが、係合突起３４の形状はこれに限られず、例えば、突出方向から見た平面視で支持部３２とは反対側に円弧部分が位置する半円状や、円形状、菱形状としてもよい。
【００６２】
前記実施形態では、翼４２の幅方向の両端に切欠部４２４を設けたが、一方の端部にのみ切欠部４２４を設けてもよい。
前記第１実施形態では、翼４２の基端部４２２の両面に溝４２３を設けたが、第２実施形態のように、一方の面にのみ溝４２３を設けてもよい。
【産業上の利用可能性】
【００６３】
本発明は、翼を有するあらゆる医療用針に利用できる。
【符号の説明】
【００６４】
１      医療用針
２      針管
３      ハブ
４      翼状部材
５      係止部
２１    屈曲部
３４    係合突起
４２    翼
４２２  基端部
４２３  溝
４２４  切欠部
４２５  貫通孔
【図１】
2013244268.tif 000003
【図２】
2013244268.tif 000004
【図３】
2013244268.tif 000005
【図４】
2013244268.tif 000006
【図５】
2013244268.tif 000007
【図６】
2013244268.tif 000008
【図７】
2013244268.tif 000009
【図８】
2013244268.tif 000010
【図９】
2013244268.tif 000011
【図１０】
2013244268.tif 000012
【図１１】
2013244268.tif 000013